(57)【要約】【課題】遠心ファンの吐出部における流速差、圧力差を低減することにより乱流の発生を低減して吐出効率の上昇を図る。【解決手段】頂部１１ａに回転軸Ｓが取り付けられた円錐形状のディスク部材１１と、ディスク部材１１の裾部１１ｂに立設するファンブレード１２、１２・・と、ファンブレード１２、１２・・の上端部１２ｂに設けられた円環部１３と、を備えた遠心ファン１０の裾部１１ｂと円環部１３との間に、ファンブレード１２、１２・・を連結すると共に内方に延設する円環板状の整流部材１４を設けた。更に、整流部材１４と回転軸Ｓとの間に整流部材１４を支持する支持部材１４ｄを設けた。更に、整流部材１４は吸気口１３ａに向けて湾曲させても良い。また、整流部材１４は複数段設けても良い。【選択図】  図１
2004278321.tif 000002
【特許請求の範囲】
【請求項１】
吸気口側に頂部を位置させた円錐形状を呈し該頂部に回転軸が取り付けられるディスク部材と、
前記ディスク部材の裾部に一端部が接合されて立設すると共に周方向に配置された複数のファンブレードと、
前記複数のファンブレードの一端部の反対側に位置する他端部同士を連結する円環部と、を備え、
前記回転軸が回転することにより周方向に気流を発生させる遠心ファンであって、
前記裾部と前記円環部との間に、前記複数のファンブレードを連結すると共に内方に延設する円環板状の整流部材を設けたことを特徴とする遠心ファン。
【請求項２】
前記整流部材を、前記吸気口に向けて湾曲させたことを特徴とする請求項１に記載の遠心ファン。
【請求項３】
前記整流部材と前記回転軸との間に、該整流部材を支持する支持部材を設けたことを特徴とする請求項１又は２に記載の遠心ファン。
【請求項４】
前記整流部材を、前記ファンブレードの延設方向に複数枚設けたことを特徴とする請求項１乃至３のいずれかに記載の遠心ファン。
【請求項５】
前記複数枚設けられた整流部材は、前記ディスク部材に近い該整流部材ほど内方への延設距離が大きいことを特徴とする請求項４に記載の遠心ファン。
【発明の詳細な説明】
【０００１】
【発明の属する技術分野】
本発明は、周方向に所定の間隔を有して配設された複数のファンブレード（羽根板）を有する遠心ファンに関するものであり、特に、ファンブレードの延設方向の長さが大きな遠心ファンに用いて好適なものである。
【０００２】
【従来の技術】
従来の遠心ファンとしては、図６に示すような遠心ファン１のようなものが知られている（例えば、特許文献１参照。）。
【０００３】
この遠心ファン１は、図６（ａ）（ｂ）に示すように、開口２ａを有する第一円環板２と、第一円環板２の外周縁１ｂに一端部４ａが接合されて立設するファンブレード４、４・・・と、一端部４ａの反対側に位置する他端部４ｂに設けられた第二円環板３と、を備えている。
【０００４】
第一円環板２の開口２ａには、頂部６ａがファン用モータの回転駆動軸（図示せず）に固定された円錐形状のディスク部６が取り付けられ、遠心ファン１が頂部６ａの中心を回転中心として回転させられるようになっている。
【０００５】
ファンブレード４、４・・・は、周方向に互いに間隙をおいて配設されており、それぞれ周方向の一方に向かって湾曲している。
【０００６】
また、第二円環板３は、複数の他端部４ｂ同士を連結するようになっており、中央に吸気口３ａを有して第一円環板２と同軸に配置されている。
【０００７】
更に、遠心ファン１は、複数のファンブレード４の外周に臨む外方端部４ｃに取り付けられ、ファンブレード４の延設方向（一端部４ａと他端部４ｂとを結んだ方向）に並べられた複数の環状板５、５・・を有している。
【０００８】
環状板５は、各ファンブレード４間を通過する気流を均一化するために設けられたものであり、図６（ａ）に示すように、極薄の薄板によって形成されると共に軸方向に互いに均等の間隔をおいて配設されている。
【０００９】
このような遠心ファン１では、前述のファン用モータ等によって回転させられることにより、吸気口３ａからファンブレード４の回転中心に向かって空気が吸い込まれる。
【００１０】
また、遠心ファン１が回転するときの遠心力によってファンブレード４の内方端部４ｂから外方端部４ｃに向かう方向に気流Ｗが発生する。
【００１１】
そして、ファンブレード４の回転中心に吸い込まれた空気は、複数のファンブレード４間を通過すると共に、このファンブレード４の外方端部４ｃに設けられた複数の環状板５に接触しながら遠心ファン１の周方向に放出される。
【００１２】
【特許文献１】
特開平１０―３０６７９５号公報（
【０００５】、図１、図２）
【００１３】
【発明が解決しようとする課題】
しかしながら、従来の遠心ファン１では、周方向に隣り合う各ファンブレード４の中央部と周辺部との流速差を小さくすることができても、ファンブレード４の延設方向における流速差を小さくすることはできない。
【００１４】
すなわち、図６（ａ）中の矢印Ｗで示したように、吸気口３ａから流入した気体には遠心力による負圧が作用して周方向に気流Ｗが発生するものの、ディスク６に接近してから周方向に流出する気流Ｗは流速が早く、ファンブレード４の他端部４ｂ側の流速と比し一端部４ａ側の流速が高くなると共に、吐出圧も高くなってしまう。
【００１５】
そして、このようにファンブレード４の延設方向における気流の流速、及び吐出圧が大きくなると、乱流が発生し、吐出効率が低下してしまう、という問題があった。
【００１６】
更に、他端部４ｂ側と一端部４ａ側との圧力差も大きくなると、圧力の低い他端部４ｂ近傍から遠心ファン１内へ流入し、圧力損失や騒音が生じてしまう、という問題があった。
【００１７】
しかも、遠心ファン１のファンブレード４の延設方向の長さが大きいほど、このような流速差、圧力差は大きくなり、圧力損失や騒音が増大してしまう、という問題があった。
【００１８】
本発明はこのような課題を解決するためになされたものであり、ファンブレード間を流れる気流のファンブレード４の延設方向における流速差、圧力差を低減し、これにより、乱流の発生を低減して吐出効率の上昇を図ると共に騒音の低減を図ることを目的とする。
【００１９】
【課題を解決するための手段】
前記課題を解決するため、請求項１に記載の発明は、吸気口側に頂部を位置させた円錐形状を呈し該頂部に回転軸が取り付けられるディスク部材と、前記ディスク部材の裾部に一端部が接合されて立設すると共に周方向に配置された複数のファンブレードと、前記複数のファンブレードの一端部の反対側に位置する他端部同士を連結する円環部と、を備え、前記回転軸が回転することにより周方向に気流を発生させる遠心ファンであって、前記裾部と前記円環部との間に、前記複数のファンブレードを連結すると共に内方に延設する円環板状の整流部材を設けたことを特徴とする遠心ファンである。
【００２０】
このように構成された請求項１記載のものでは、前記裾部と前記円環部との間に、前記複数のファンブレードを連結すると共に内方に延設する円環板状の整流部材が設けられているため、該整流部材で前記吸気口から流入した気流を、前記ディスク部材近傍に到達する前に捕捉して分流し、周方向に吐出させることができる。
【００２１】
このため、前記ファンブレードの延設方向における気流の流速の均一化を図ることができ、これにより、前記気流を整流することができる。
【００２２】
また、請求項２に記載の発明は、前記整流部材を、前記吸気口に向けて湾曲させたことを特徴とする請求項１に記載の遠心ファンである。
【００２３】
このように構成された請求項２記載のものでは、前記整流部材が前記吸気口に向けて湾曲するため、該湾曲した面に沿って気流の向きを変えることができる。
【００２４】
このため、前記気流が前記整流部材に捕捉されて分流する際に生じる圧力損失を、低減することができる。
【００２５】
また、請求項３に記載の発明は、前記整流部材と前記回転軸との間に、該整流部材を支持する支持部材を設けたことを特徴とする請求項１又は２に記載の遠心ファンである。
【００２６】
このように構成された請求項３記載のものでは、前記整流部材と前記回転軸との間に該整流部材を支持する支持部材が設けられるため、前記整流部材に作用する風圧を、前記支持部材で支持することにより前記回転軸に分散することができる。
【００２７】
このため、前記整流部材の変形や破損を低減することができる。
【００２８】
また、請求項４に記載の発明は、前記整流部材を、前記ファンブレードの延設方向に複数枚設けたことを特徴とする請求項１乃至３のいずれかに記載の遠心ファンである。
【００２９】
このように構成された請求項４記載のものでは、前記整流部材が前記ファンブレードの延設方向に複数枚設けられているため、該複数枚の整流部材により前記吸気口から流入した気流を捉えて周方向に吐出させることができる。
【００３０】
このため、更に、前記ファンブレードの延設方向における気流の流速の均一化を図ることができ、これにより、前記気流を整流することができる。
【００３１】
また、請求項５に記載された発明は、前記複数枚設けられた整流部材は、前記ディスク部材に近い該整流部材ほど内方への延設距離が大きいことを特徴とする請求項４に記載の遠心ファンである。
【００３２】
このように構成された請求項５記載のものでは、前記複数枚設けられた整流部材が、前記ディスク部材に近い該整流部材ほど内方への延設距離が大きいため、前記吸気口から流入した気流を、同心円状に内方に突出する該複数の整流部材によって捕捉して分流することができる。
【００３３】
このため、更に、前記ファンブレードの延設方向における気流の流速の均一化を図ることができ、これにより、前記気流を整流することができる。
【００３４】
【発明の実施の形態】
本発明の実施の形態を、図を参照して説明する。
【００３５】
本実施形態の遠心ファン１０は、頂部としての頂面１１ａを有し円錐形状を呈するディスク部材１１と、ディスク部材１１の裾部１１ｂに下端部（一端部）１２ａ、１２ａ・・が接合された複数のファンブレード１２、１２・・と、ファンブレード１２、１２・・の上端部（他端部）１２ｂ、１２ｂ・・に設けられた円環部１３と、を備えている。
【００３６】
更に、遠心ファン１０には、裾部１１ｂと円環部１３との間に複数のファンブレード１２、１２・・を連結する整流部材１４が設けられている。
【００３７】
ディスク部材１１は、詳しくは、その円錐面１１ｅを外方にやや膨出させた形状となっており、円錐面１１ｅには複数の通気穴１１ｆ、１１ｆ・・が形成されている。
【００３８】
また、ディスク部材１１は、円環部１３の中央に形成された吸気口１３ａ側に頂面１１ａを位置させており、頂面１１ａには下方に向けて延設する小パイプ部１１ｃが形成されている。
【００３９】
この小パイプ部１１ｃの中央には、ファン用モータＭの回転駆動軸Ｓを挿通させるための回転軸挿通孔１１ｄが設けられており、回転軸挿通孔１１ｄに回転駆動軸Ｓを挿通させた状態で回転駆動軸Ｓの先端Ｓ１にナットＮを螺着することによって頂面１１ａに回転駆動軸Ｓが取り付けられるようになっている。
【００４０】
本実施形態では、ファン用モータＭはいわゆるアウタロータ型ブラシレスモータであり、ファン用モータＭのヨークＭ１と一体的に回転駆動軸Ｓが回転すると、ディスク部材１１がヨークＭ１と一体的に回転するようになっている。
【００４１】
そして、ディスク部材１１の裾部１１ｂは、円錐面１１ｅの下端全周にかけて周方向に向けて鍔状に延設されている。
【００４２】
また、ファンブレード１２、１２・・は、下端部１２ａから回転駆動軸Ｓと略平行となるように上方に向けて立設している。
【００４３】
そして、図２に示したように、ファンブレード１２、１２・・は、所定の間隔をおいて周方向に配置されている。
【００４４】
更に、図３に示すように、本実施形態では、ファンブレード１２、１２・・は、下側ブレード１２ｃ、１２ｃ・・と上側ブレード１２ｄ、１２ｄ・・とから構成されている。
【００４５】
そして、この下側ブレード１２ｃ、１２ｃ・・と上側ブレード１２ｄ、１２ｄ・・とを組み付けた状態で、上端部１２ｂは下端部１２ａの反対側に位置するようになっており、円環部１３がこの上端部１２ｂ、１２ｂ・・同士を連結するようになっている。
【００４６】
下側ブレード１２ｃは、下端部１２ａから下側ブレード上端部１２ｅに向けて延びており、下側ブレード上端部１２ｅには下側ブレード固定リング１２ｆが一体に設けられている。
【００４７】
この下側ブレード固定リング１２ｆは、複数の下側ブレード上端部１２ｅ、１２ｅ・・を連結すると共に、上方に向けて突設された複数の嵌合凸部１２ｇ、１２ｇ・・を有している。
【００４８】
また、上側ブレード下端部１２ｈには、円環板状の整流部材１４が一体に設けられている。
【００４９】
整流部材１４は、図２に示したように、遠心ファン１０の内方（回転駆動軸Ｓ方向）に延設する内方延設部１４ａと、遠心ファン１０の外方に延びる外周部１４ｂと、内方延設部１４ａと外周部１４ｂとの間に位置すると共に上側ブレード１２ｄ、１２ｄ・・と直接に接合された整流部材中央部１４ｃと、を有している。
【００５０】
本実施形態では、内方延設部１４ａの延設長さ（内方への延設距離）は、ファンブレード１２の内方側端面が形成する円半径の約１５％に相当する長さとなっている。
【００５１】
更に、内方延設部１４ａには、四本の支持部材１４ｄ、１４ｄ・・が一体に設けられている。
【００５２】
この支持部材１４ｄ、１４ｄ・・は、回転駆動軸Ｓ側の内方延設部２１４ｄ端部から回転駆動軸Ｓに向けてやや下方に傾斜しつつ延設しており、各支持部材１４ｄ、１４ｄ・・が交差し且つ頂面１１ａと重複する位置に支持リング１４ｅを形成している。
【００５３】
また、整流部材中央部１４ｃは、嵌合凸部１２ｇ、１２ｇ・・と嵌合可能な複数の嵌合孔（図示せず）を有している。
【００５４】
そして、この整流部材中央部１４ｃを下端ブレード固定リング１２ｆに重ね合わせることにより、下側ブレード１２ｃ、１２ｃ・・と上側ブレード１２ｄ、１２ｄ・・とを組み付けることができるようになっており、このように組み付けると、整流部材１４が裾部１１ｂと円環部１３との間に位置して複数のファンブレード１２、１２・・を連結するようになっている。
【００５５】
また、外周部１４ｂは、整流部材中央部１４ｃの外周端の全周に渡って設けられ、この整流部材中央部１４ｃより僅かに突出している。
【００５６】
そして、このような構成を有する遠心ファン１０は、以下のようにファン用モータＭに取り付けられる。
【００５７】
すなわち、まず、整流部材中央部１４ｃの嵌合孔を嵌合凸部１２ｇと嵌合させて、上側ブレード１２ｂと下側ブレード１２ｃとを組み付ける。
【００５８】
そして、ディスク部材１１の内方側からファン用モータＭを組み付けて、回転軸挿通孔１１ｄに回転駆動軸Ｓを挿通させ、頂面１１ａを介して支持リング１４ｅから先端Ｓ１を突出させる。
【００５９】
更に、この先端Ｓ１にナットＮを螺着して回転駆動軸Ｓを頂面１１ａに固定することにより、遠心ファン１０をファン用モータＭへ取り付ける。
【００６０】
次に、遠心ファン１０の作用について説明する。
【００６１】
ファン用モータＭが駆動し、ヨークＭ１と一体的に回転駆動軸Ｓが回転すると、回転駆動軸Ｓを回転中心としてディスク部材１１が回転し、遠心ファン１０が回転する。
【００６２】
このように遠心ファン１０が回転すると、隣接するファンブレード１２、１２・・間の気体が遠心ファン１０の周方向に吐出され、遠心ファン１０の内部空間１０ａに負圧が発生する。
【００６３】
そして、この内部空間１０ａに負圧が発生すると、吸気口１３ａに負圧が作用して吸気口１３ａから気体が流入し、吸気口１３ａから周方向への気流Ｗが生じる。
【００６４】
ここで、吸気口１３ａから流入した気体は、ファンブレード１２により生じた負圧により周方向へ向きを変更するものの、特に、ディスク部材１１近傍に到るまでほとんど向きを変更しない気体が多量に存在する。
【００６５】
この結果、例えば、従来の遠心ファン１では、図６に示したように、吸気口側３ａから吐出される気流Ｗと比し、ディスク部材６近傍の気流Ｗの流速が増大し、吐出圧が増大してしまう。
【００６６】
そして、このようにファンブレード４の延設方向における流速差、又は圧力差が大きくなると、乱流が生じやすく、吐出効率が低下し、騒音が増大してしまう。
【００６７】
しかしながら、本実施形態の遠心ファン１０では、図１に示したように、裾部１１ｂと円環部１３との間に、複数のファンブレード１２、１２・・を連結する整流部材１４が設けられており、この整流部材１４が遠心ファン１０の内方に延設しているため、この整流部材１４の内方延設部１４ａで吸気口１３ａから流入した気流Ｗを、ディスク部材１１近傍に到達する前に捕捉することができる。
【００６８】
そして、このように整流部材１４で気流Ｗを捕捉すれば、ファンブレード１２近傍に生じた負圧により、気流Ｗの向きを周方向に変更させて分流し、吐出させることができる。
【００６９】
このため、ファンブレード１２の延設方向における気流Ｗの流速の均一化を図ることができ、これにより、気流Ｗを全体として整流することができる。
【００７０】
また、本実施形態の遠心ファン１０では、整流部材１４と回転駆動軸Ｓとの間に整流部材１４を支持する支持部材１４ｄが一体に設けられているため、整流部材１４に作用する風圧を支持部材１４で支持することができる。
【００７１】
そして、この支持部材１４に伝わった応力を、支持リング１４ｅを介して回転駆動軸Ｓの頂面１１ａに分散することができる。
【００７２】
このため、遠心ファン１０によれば、整流部材１４の変形や破損を低減することができる。
【００７３】
しかも、遠心ファン１０では、頂面１１ａに取り付けられた回転駆動軸Ｓを支持リング１４ｅに挿通し、先端Ｓ１にナットＮを螺着するだけで整流部材１４を支持できるため、組み付け容易なものである。
【００７４】
（変形例１）
図４は本発明の変形例１を示したものである。
【００７５】
なお、前記実施の形態と同一ないし均等な部分については、同一符号を付して説明する。
【００７６】
本変形例１の遠心ファン１１０は、整流部材１１４が、吸気口１３ａに向けて（図４中、上方に向けて）湾曲している。
【００７７】
詳しくは、整流部材１１４は、整流部材中央部１１４ｃから、内方延設部１１４ａの内方側先端にかけて、徐々に上方に向かって隆起する湾曲形状となっている。
【００７８】
このような構成を有する遠心ファン１１０では、内方に向けて延設する整流部材１１４で吸気口１３ａから流入した気流Ｗを、ディスク部材１１近傍に到達する前に捕捉して、分流することができる。
【００７９】
しかも、遠心ファン１１０では、整流部材１１４が吸気口１３ａに向けて湾曲するため、整流部材１１４の内方延設部１１４ａの湾曲した面に沿って気流Ｗの向きを変えることができる。
【００８０】
このため、整流部材１１４に捕捉されて分流する際に生じる圧力損失を低減し、気流の向きが変わる際に発生する騒音を、更に、低減することができる。
【００８１】
他の構成、および作用効果については、前記実施の形態と同一ないし均等であるので説明を省略する。
【００８２】
（変形例２）
図５は本発明の変形例２を示したものである。
【００８３】
なお、前記実施の形態と同一ないし均等な部分については、同一符号を付して説明する。
【００８４】
本変形例２の遠心ファン２１０のファンブレード１１２は、下端部（一端部）１１２ａが裾部１１ｂに接合されると共に、この下端部１１２ａから上端部（他端部）１１２ｂに向けて立設している。
【００８５】
また、ファンブレード１１２は、上側ブレード２１２、中間ブレード３１２、下側ブレード４１２と、を備えている。
【００８６】
そして、この下側ブレード４１２の直上に中間ブレード３１２が位置し、更に、中間ブレード３１２の直上に上側ブレード２１２が位置して、下側ブレード４１２の下端部分が下端部１１２ａを、上側ブレード２１２の上端部分が上端部１１２ｂを構成している。
【００８７】
上端部１１２ｂには、ファンブレード１１２を連結して固定するための薄板の円環部１１３が設けられている。
【００８８】
そして、本変形例２の遠心ファンでは、裾部１１ｂと円環部１１３との間に、二枚の（複数枚の）第一整流部材２１４、第二整流部材３１４が設けられている。
【００８９】
第二整流部材３１４は、上端部１１２ｂと下端部１１２ａとの略中間部分に位置しており、一方、第一整流部材２１４は、第二整流部材３１４と上端部１１２ｂとの略中間部分に位置している。
【００９０】
また、第一整流部材２１４は、吸気口１３ａに向けて湾曲している。より詳しくは、第一整流部材２１４は、中央部２１４ｃから、内方延設部２１４ａの内方側先端にかけて、徐々に上方に向かって隆起する湾曲形状となっている。
【００９１】
更に、第一整流部材２１４の内方延設部２１４ａには、四本の支持部材２１４ｄが一体に設けられている。
【００９２】
そして、この支持部材２１４ｄは、回転駆動軸Ｓ側の内方延設部２１４ａ端部から回転駆動軸Ｓに向けてやや下方に傾斜しつつ延設しており、各支持部材２１４ｄが交差し且つ頂面１１ａと重複する位置に支持キャップ２１４ｅを形成している。
【００９３】
本変形例２では、支持キャップ２１４ｅは、断面略Ｕ字状を呈して回転駆動軸Ｓの先端Ｓ１を圧入することができる構成となっている。
【００９４】
そして、吸気口１３ａに向けて頂面１１ａから第一整流部材２１４のやや下方位置まで延設された回転駆動軸Ｓの先端Ｓ１に、この支持キャップ２１４ｅが圧入固定されることにより、支持部材２１４ｄが固定されて第一整流部材２１４が支持されるようになっている。
【００９５】
また、第一整流部材２１４より下方に位置する第二整流部材３１４は、第一整流部材２１４より内方へ大きく延設している。
【００９６】
すなわち、第一整流部材２１４から第二整流部材３１４へと、ディスク部材１１に近い整流部材ほど内方への延設距離が大きくなるように形成されている。
【００９７】
更に、第二整流部材３１４には、四本の支持部材３１４ｄが一体に設けられている。
【００９８】
この支持部材３１４ｄは、回転駆動軸Ｓ側の内方延設部２１４ｄ端部から回転駆動軸Ｓに向けてやや下方に傾斜しつつ延設しており、各支持部材３１４ｄが交差し且つ頂面１１ａと重複する位置に支持リング３１４ｅを形成している。
【００９９】
そして、この支持リング３１４ｄに回転駆動軸Ｓが挿通され、支持リング３１４ｄが頂面１１ａとナットＮとの間に狭持されることにより、支持部材３１４ｄが固定されて第二整流部材３１４が支持されるようになっている。
【０１００】
このように、本変形例２の遠心ファン２１０では、第一整流部材２１４及び第二整流部材３１４が、ファンブレード１１２の延設方向に設けられているため、この二枚の第一整流部材２１４及び第二整流部材３１４により吸気口１３ａから流入した気流Ｗを捉えて周方向に吐出させることができる。
【０１０１】
このため、更に、ファンブレード１１２の延設方向における気流Ｗの流速の均一化を図ることができ、これにより、気流Ｗを整流することができる。
【０１０２】
更に、本変形例２の遠心ファン２１０では、ディスク部材１１に近い第二整流部材３１４を、第一整流部材２１４よりも内方へ大きく延設させた。
【０１０３】
このため、遠心ファン２１０では、吸気口１３ａから流入した気流Ｗを、ディスク部材１１に接近するほど同心円状に内方に突出する第一整流部材２１４及び第二整流部材３１４によって、より確実に捕捉して分流することができる。
【０１０４】
従って、遠心ファン２１０では、二枚の整流部材としての第一整流部材２１４及び第二整流部材３１４により、更に、ファンブレード１１２の延設方向における気流Ｗの流速の均一化を図ることができる。
【０１０５】
したがって、遠心ファン２１０から吐出される気流Ｗを全体として整流することができ、これにより、騒音の低減、圧力損失の低減を図って吐出効率の向上を図ることができる。
【０１０６】
他の構成、および作用効果については、前記実施の形態と同一ないし均等であるので説明を省略する。
【０１０７】
以上、この発明の実施の形態及び変形例を説明してきたが、具体的な構成はこの実施例に限らず、この発明の要旨を逸脱しない範囲の設計の変更があってもこの発明に含まれる。
【０１０８】
例えば、整流部材を支持する支持部材は、必ずしも該整流部材に一体に設けられていなくても良く、別体で設けても良い。
【０１０９】
また、上記変形例２において整流部材を二枚設けているが、遠心ファンの大きさ等に応じて、適宜枚数を調節して複数枚設けることができる。
【０１１０】
更に、複数枚設けた整流部材は、ディスク部材に近い整流部材ほど内方への延設距離が大きい方が好適の場合が多いが、必ずしもこのように構成しなくてもよく、該複数の整流部材を所望の延設長さに調整しても良い。
【０１１１】
例えば、該複数の整流部材を同一の延設長さに調整すれば、部品の共通化を図ることもできる。
【０１１２】
また、上記実施形態１では、整流部材の内方への延設距離がファンブレードの内方側端面が形成する円半径の約１５％に相当する大きさとなっており、吐出効率の点からはこのように該円半径の５％以上２０％以下であることが好ましいが、必ずしもこの大きさに限定されるものではない。
【０１１３】
【発明の効果】
以上説明したように、請求項１に記載の発明によれば、前記裾部と前記円環部との間に、前記複数のファンブレードを連結すると共に内方に延設する円環板状の整流部材が設けられているため、該整流部材で前記吸気口から流入した気流を、前記ディスク部材近傍に到達する前に捕捉して分流し、周方向に吐出させることができる。
【０１１４】
このため、前記ファンブレードの延設方向における気流の流速の均一化を図ることができ、これにより、前記気流を整流することができる。
【０１１５】
また、請求項２に記載の発明によれば、前記整流部材が前記吸気口に向けて湾曲するため、該湾曲した面に沿って気流の向きを変えることができる。
【０１１６】
このため、前記気流が前記整流部材に捕捉されて分流する際に生じる圧力損失を、低減することができる。
【０１１７】
また、請求項３に記載の発明によれば、前記整流部材と前記回転軸との間に該整流部材を支持する支持部材が設けられるため、前記整流部材に作用する風圧を、前記支持部材で支持することにより前記回転軸に分散することができる。
【０１１８】
このため、前記整流部材の変形や破損を低減することができる。
【０１１９】
また、請求項４に記載の発明によれば、前記整流部材が前記ファンブレードの延設方向に複数枚設けられているため、該複数枚の整流部材により前記吸気口から流入した気流を捉えて周方向に吐出させることができる。
【０１２０】
このため、更に、前記ファンブレードの延設方向における気流の流速の均一化を図ることができ、これにより、前記気流を整流することができる。
【０１２１】
また、請求項５に記載された発明によれば、前記複数枚設けられた整流部材が、前記ディスク部材に近い該整流部材ほど内方への延設距離が大きいため、前記吸気口から流入した気流を、同心円状に内方に突出する該複数の整流部材によって捕捉して分流することができる。
【０１２２】
このため、更に、前記ファンブレードの延設方向における気流の流速の均一化を図ることができ、これにより、前記気流を整流することができる。
【図面の簡単な説明】
【図１】本発明の実施の形態に係る遠心ファンの縦断面図である。
【図２】本発明の実施の形態に係る遠心ファンの図１におけるＡ−Ａ線に沿った断面図である。
【図３】本発明の実施の形態に係る遠心ファンの分解縦断面図である。
【図４】本発明の変形例１に係る遠心ファンの分解縦断面図である。
【図５】本発明の変形例１に係る遠心ファンの分解縦断面図である。
【図６】従来の遠心ファンを示したものであり、（ａ）は部分縦断面図、（ｂ）はＢ−Ｂ線に沿った横断面図である。
【符号の説明】
１０、１１０、２１０  遠心ファン
１１  ディスク部材
１１ａ  頂面（頂部）
１１ｂ  裾部
１２、１１２  ファンブレード
１２ａ、１１２ａ  下端部（一端部）
１２ｂ、１１２ｂ  上端部（他端部）
１３、１１３  円環部
１３ａ  吸気口
１４、１１４、２１４、３１４  整流部材
１４ｄ、１１４ｄ、２１４ｄ、３１４ｄ  支持部材
Ｓ  回転駆動軸（回転軸）
【図１】
2004278321.tif 000003
【図２】
2004278321.tif 000004
【図３】
2004278321.tif 000005
【図４】
2004278321.tif 000006
【図５】
2004278321.tif 000007
【図６】
2004278321.tif 000008